(57)【要約】【課題】本発明は、自動食器洗浄機で使用した場合にも、食器類の乾燥性、仕上がり性に優れており、自動食器洗浄機内での抑泡性、貯蔵安定性にも優れ、洗浄タンク内に汚れが存在する場合でも乾燥性、仕上がり性が良好であり、被洗浄物の再汚染防止効果を有するすすぎ助剤組成物を提供することを目的とする。【解決手段】本発明は、（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９である、すすぎ助剤組成物を提供する。【選択図】なし【特許請求の範囲】
【請求項１】
（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９である、すすぎ助剤組成物。
【請求項２】
（Ａ）成分がグリセリンの平均重合度が３〜１０であるポリグリセリン縮合リシノール酸エステルである、請求項１記載のすすぎ助剤組成物。
【請求項３】
（Ｂ）成分がグリセリンの平均重合度が３〜１２、脂肪酸の炭素数が８〜１８のポリグリセリン脂肪酸エステルである、請求項１又は２に記載のすすぎ助剤組成物。
【請求項４】
さらに、（Ｄ）成分としてショ糖脂肪酸エステルを含有する、請求項１〜３のいずれか一項に記載のすすぎ助剤組成物。
【請求項５】
さらに、（Ｅ）成分としてソルビタン脂肪酸エステルを含有する、請求項１〜４のいずれか一項に記載のすすぎ助剤組成物。
【請求項６】
さらに、（Ｆ）成分として有機溶剤を含有する、請求項１〜５のいずれか一項に記載のすすぎ助剤組成物。
【請求項７】
前記すすぎ助剤組成物が、クレート洗浄後のすすぎに用いられる、請求項１〜６のいずれか一項に記載のすすぎ助剤組成物。
【請求項８】
さらに（Ｇ）成分として、植物性抗菌・消臭剤及び抗菌ペプチドからなる群より選ばれた１種または２種以上を含有する、請求項１〜７のいずれか一項に記載のすすぎ助剤組成物。
【請求項９】
さらに（Ｈ）成分として、シクロデキストリンを含有する、請求項１〜８のいずれか一項に記載のすすぎ助剤組成物。
【請求項１０】
（Ａ）成分の（Ｇ）成分及び／又は（Ｈ）成分の総量に対する質量比（Ａ）／［（Ｇ）＋（Ｈ）］の値が０．００５〜１０である、請求項８又は９に記載のすすぎ助剤組成物。
【請求項１１】
（Ｇ）成分の植物性抗菌・消臭剤が、モウソウチク抽出物、モウソウチク乾留物、チャ抽出物、チャ乾留物、ブドウ種子抽出物、グレープフルーツ種子抽出物より選ばれた１種または２種以上である請求項８〜１０のいずれか一項に記載のすすぎ助剤組成物。
【請求項１２】
自動食器洗浄機用洗浄剤を含む洗浄液を自動食器洗浄機の洗浄液タンク内で加熱保持する工程、洗浄液タンク内の洗浄液を洗浄機庫内に噴射して食器類を洗浄する工程、及び、洗浄後、請求項１〜１１のいずれかに記載のすすぎ助剤組成物を含むすすぎ液ですすぐ工程を含む、自動食器洗浄機による食器類の洗浄方法。
【請求項１３】
前記すすぎ液ですすぐ工程において、すすぎ液を洗浄機の平面積２５００ｃｍ２あたり、１〜３Ｌ噴射して食器類をすすぐ請求項１２記載の自動食器洗浄機による食器類の洗浄方法。
【請求項１４】
（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９である、野菜又は果物洗浄用組成物。
【請求項１５】
さらに、（Ｄ）成分としてショ糖脂肪酸エステル、（Ｅ）成分としてソルビタン脂肪酸エステル、（Ｆ）成分として有機溶剤、（Ｇ）成分として植物性抗菌・消臭剤及び／又は抗菌ペプチド、並びに（Ｈ）成分としてシクロデキストリンからなる群から選択された１種又は２種以上の成分を含む、請求項１４に記載の野菜又は果物洗浄用組成物。
【発明の詳細な説明】
【技術分野】
【０００１】
本発明は、自動食器洗浄機用すすぎ助剤組成物、特に業務用の自動食器洗浄機用として好適なすすぎ助剤組成物に関する。また、本発明はこのすすぎ助剤組成物を用いた食器類のすすぎ方法に関する。更に本発明は野菜又は果物洗浄用組成物に関する。
【背景技術】
【０００２】
近年、食器類の洗浄に自動食器洗浄機が広く利用されるようになっており、ホテル、レストラン、給食会社、病院、会社の食堂等においても、使用後の食器を効率よく洗浄するために、また近年の衛生意識の向上から業務用の自動食器洗浄機が広く用いられている。
【０００３】
自動食器洗浄機、特に業務用の自動食器洗浄機により食器類を洗浄する場合、一般的に、所定濃度に調整した洗浄液を洗浄タンク内で加熱保持し、次いで洗浄液タンク内の洗浄液を洗浄液ノズルから洗浄機庫内に一定量噴射して洗浄機庫内の食器類を洗浄した後、所定濃度のすすぎ助剤を含むすすぎ液を洗浄機のノズルから一定量噴射してすすぎを行い、乾燥するという工程を経て洗浄が行われる。このすすぎ助剤には、界面活性剤が配合されており、これにより、すすぎ液の表面張力を下げ、食器表面の水滴を広がりやすくして乾燥を速め、更にウォータースポットと呼ばれる白斑を低減して、美観良く仕上げることができる。
【０００４】
近年は特に環境意識の高まりにより節水型の自動食器洗浄機が普及してきているが、節水型の自動食器洗浄機はすすぎ量が通常の自動食器洗浄機よりも少ないため、被洗浄物により持ち込まれる汚れが洗浄タンク内に蓄積されやすく、タンク内の汚れた洗浄液による被洗浄物の再汚染が問題となっていた。
【０００５】
従来のすすぎ助剤としては、特許文献１にはＨＬＢ３〜１３のポリグリセリン脂肪酸エステルを必須成分とするすすぎ助剤が記載されている。特許文献２には特定の重合度ｎ（ｎ＝３、４、５）であるポリグリセリンと炭素数が（２ｎ）〜（２ｎ＋４）の脂肪酸とをエステル化してなるポリグリセリン脂肪酸エステルと、炭素数８〜１２の脂肪酸をエステル化してなるソルビタン脂肪酸エステルを含むプラスチック食器用乾燥仕上剤が記載されている。特許文献３には炭素数８〜１２の脂肪酸と平均重合度ｎ（ｎ＝６〜１０）のポリグリセリンをエステル化してなるＨＬＢ１０以上のポリグリセリン脂肪酸エステルと、ソルビタン脂肪酸エステル、水溶性溶剤を含む自動食器洗浄機用乾燥仕上げ剤組成物が記載されており、特許文献４には炭素数８〜１２の脂肪酸と平均重合度ｎ（ｎ＝６〜１０）のポリグリセリンをエステル化してなるＨＬＢ１０以上のポリグリセリン脂肪酸エステルと、炭素数６〜１２のソルビタンエステルを含むプラスチック食器用乾燥仕上げ剤組成物が記載されている。
【先行技術文献】
【特許文献】
【０００６】
【特許文献１】特開昭６０−５３５９９号公報
【特許文献２】特許第３４２５３８１号公報
【特許文献３】特許第５１９９５２９号公報
【特許文献４】特許第６１０５３６０号公報
【０００７】
しかしながら特許文献１記載のすすぎ助剤は食器類の乾燥性について十分ではなく、特許文献２記載のプラスチック食器用乾燥仕上剤は乾燥性、仕上がり性について十分ではない。特許文献３記載の乾燥仕上げ剤組成物はガラス、陶器、磁器、金属、プラスチック等の材質の食器に対して良好な乾燥性、仕上がり性、低泡性に優れているが、自動食器洗浄機の洗浄タンク内に蓄積された、汚れた洗浄液により被洗浄物が再汚染されることで乾燥性や仕上がり性が低下してしまい、また、節水型の自動食器洗浄機のようなすすぎ水の量が少ない条件においても十分な乾燥性、仕上がり性が得られないという問題があった。特許文献４記載のプラスチック食器用乾燥仕上げ剤組成物もプラスチック製食器類の仕上がり性や低泡性、貯蔵安定性について優れているが、他の材質の食器類に対しては十分な性能を示さず、被洗浄物の再汚染防止効果や節水型自動食器洗浄機での乾燥性、仕上がり性についても十分ではなかった。
【発明の概要】
【発明が解決しようとする課題】
【０００８】
従って、本発明は、自動食器洗浄機、特に業務用の節水型自動食器洗浄機で使用した場合にも、食器類の乾燥性、仕上がり性に優れており、自動食器洗浄機内での抑泡性、貯蔵安定性にも優れ、洗浄タンク内に汚れが存在する場合でも乾燥性、仕上がり性が良好であり、被洗浄物の再汚染防止効果を有するすすぎ助剤組成物を提供することを目的とする。また、本発明はこのすすぎ助剤組成物を用いた自動食器洗浄機による食器類のすすぎ方法を提供することを目的とする。
【０００９】
上記課題を解決するために、本発明者は鋭意検討した結果、（Ａ）成分としてＨＬＢが５以下のポリグリセリン脂肪酸エステル、（Ｂ）成分としてＨＬＢが１３以上のポリグリセリン脂肪酸エステル、（Ｃ）成分として水を含有し、（Ａ）成分と（Ｂ）成分が特定の比率になるようにしたすすぎ助剤組成物が、上記従来の課題を解決できることを見出し、本発明を完成するに至った。
【００１０】
即ち本発明は
（１）（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９である、すすぎ助剤組成物、
（２）（Ａ）成分がグリセリンの平均重合度が３〜１０であるポリグリセリン縮合リシノール酸エステルである、上記（１）のすすぎ助剤組成物、
（３）（Ｂ）成分がグリセリンの平均重合度が３〜１２、脂肪酸の炭素数が８〜１８のポリグリセリン脂肪酸エステルである、上記（１）又は（２）のすすぎ助剤組成物、
（４）さらに、（Ｄ）成分としてショ糖脂肪酸エステルを含有する、上記（１）〜（３）のいずれかのすすぎ助剤組成物、
（５）さらに、（Ｅ）成分としてソルビタン脂肪酸エステルを含有する、上記（１）〜（４）のいずれかのすすぎ助剤組成物、
（６）さらに、（Ｆ）成分として有機溶剤を含有する、上記（１）〜（５）のいずれかのすすぎ助剤組成物、
（７）前記すすぎ助剤組成物が、クレート洗浄後のすすぎに用いられる、上記（１）〜（６）のいずれかのすすぎ助剤組成物、
（８）さらに（Ｇ）成分として、植物性抗菌・消臭剤及び抗菌ペプチドからなる群より選ばれた１種または２種以上を含有する上記（１）〜（７）のいずれかのすすぎ助剤組成物、
（９）さらに（Ｈ）成分として、シクロデキストリンを含有する、上記（１）〜（８）のいずれかのすすぎ助剤組成物、
（１０）（Ａ）成分の（Ｇ）成分及び／又は（Ｈ）成分の総量に対する質量比（Ａ）／［（Ｇ）＋（Ｈ）］の値が０．００５〜１０である、上記（８）又は（９）のすすぎ助剤組成物、
（１１）（Ｇ）成分の植物性抗菌・消臭剤が、モウソウチク抽出物、モウソウチク乾留物、チャ抽出物、チャ乾留物、ブドウ種子抽出物、グレープフルーツ種子抽出物より選ばれた１種または２種以上である上記（８）〜（１０）のいずれかのすすぎ助剤組成物、
（１２）自動食器洗浄機用洗浄剤を含む洗浄液を自動食器洗浄機の洗浄液タンク内で加熱保持する工程、洗浄液タンク内の洗浄液を洗浄機庫内に噴射して食器類を洗浄する工程、及び、洗浄後、上記（１）〜（１１）のいずれかのすすぎ助剤組成物を含むすすぎ液ですすぐ工程を含む、自動食器洗浄機による食器類の洗浄方法、及び、
（１３）前記すすぎ液ですすぐ工程において、すすぎ液を洗浄機の平面積２５００ｃｍ２あたり、１〜３Ｌ噴射して食器類をすすぐ上記（１２）の自動食器洗浄機による食器類の洗浄方法を提供する。
【００１１】
また、本発明と同様の組成を有する組成物が、野菜や果物といった食品（青果類）を洗浄するための洗浄液としても有用であることを見出した。
つまり、本発明は、
（１４）（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９である、野菜又は果物洗浄用組成物、及び
（１５）さらに、（Ｄ）成分としてショ糖脂肪酸エステル、（Ｅ）成分としてソルビタン脂肪酸エステル、（Ｆ）成分として有機溶剤、（Ｇ）成分として植物性抗菌・消臭剤及び／又は抗菌ペプチド、並びに（Ｈ）成分としてシクロデキストリンからなる群から選択される、１種又は２種以上の成分を含む、上記（１４）の野菜又は果物洗浄用組成物も提供する。
【発明の効果】
【００１２】
本発明のすすぎ助剤組成物は、すすぎ後の乾燥性、仕上がり性に優れ、抑泡性、貯蔵安定性、被洗浄物の再汚染防止性にも優れた効果を奏する。また、前記すすぎ助剤組成物と同様の組成を有する組成物は野菜や果物の洗浄剤としても有用である。
【発明を実施するための形態】
【００１３】
本発明のすすぎ助剤組成物において、（Ａ）成分のＨＬＢが５以下のポリグリセリン脂肪酸エステルとしては特に限定されないが、被洗浄物の再汚染防止性の点でＨＬＢは０．１以上、４以下であることが好ましい。グリセリンの平均重合度としては、３〜１０であることが好ましく、４〜８であることがさらに好ましい。ポリグリセリン脂肪酸エステルを構成する脂肪酸としては、合成脂肪酸、動植物油脂由来の脂肪酸のいずれでもよく、炭素数１６〜２４の脂肪酸が好ましく、本発明の（Ａ）成分としては、被洗浄物由来の汚れの分散性および被洗浄物の再汚染防止性の点で、炭素数１８のリシノール酸の縮合物の縮合リシノール酸とポリグリセリンとのエステルであるポリグリセリン縮合リシノール酸エステルが特に好ましい。なお、本発明におけるＨＬＢはＧｒｉｆｆｉｎの方法により求められた値である。（吉田、進藤、大垣、山中共編、「新版界面活性剤ハンドブック」，工学図書株式会社，１９９６年，ｐ．２３４）
【００１４】
本発明のすすぎ助剤組成物において、（Ａ）成分を単独で用いても、二種以上を組み合わせて用いてもよい。（Ａ）成分の配合量に特に制限はないが、再汚染防止性、貯蔵安定性の点から、すすぎ助剤組成物全量に対して、０．１質量％〜５．０質量％配合することが好ましく、０．２質量％〜３．０質量％がさらに好ましく、０．５質量％〜２．０質量％が特に好ましい。（Ａ）成分の割合が０．１質量％未満であると十分な再汚染防止性が得られない虞があり、５．０質量％を超えると貯蔵安定性が低下する虞がある。
なお、ここで示す濃度は、すすぎ助剤組成物を製品として流通もしくは保存するときの濃度を指し、使用時はすすぎに使用される水でさらに希釈される。以下の（Ｂ）〜（Ｆ）成分の濃度も同様である。
【００１５】
本発明のすすぎ助剤組成物において、（Ｂ）成分のＨＬＢが１３以上のポリグリセリン脂肪酸エステルとしては特に限定されないが、乾燥性、仕上がり性の点で高ＨＬＢのものが好ましく、例えば、ＨＬＢ値は１４以上、１９以下が好ましく、１５以上、１９以下がさらに好ましく、１６以上、１９以下が特に好ましい。グリセリンの平均重合度としては、３〜１２であることが好ましく、４〜１０であることがさらに好ましい。ポリグリセリン脂肪酸エステルを構成する脂肪酸としては、合成脂肪酸、動植物油脂由来の脂肪酸のいずれでもよく、炭素数８〜１８の脂肪酸が好ましく、炭素数８〜１２の脂肪酸がより好ましい。このようなポリグリセリン脂肪酸エステルとしては、テトラグリセリンカプリル酸エステル、ヘキサグリセリンカプリル酸エステル、ヘキサグリセリンラウリン酸エステル、デカグリセリンカプリル酸エステル、デカグリセリンラウリン酸エステル、デカグリセリンミリスチン酸エステル等が挙げられ、中でも乾燥性、仕上がり性の点からテトラグリセリンカプリル酸エステル、ヘキサグリセリンカプリル酸エステル、デカグリセリンカプリル酸エステルが好ましい。
【００１６】
本発明のすすぎ助剤組成物において、（Ｂ）成分は単独で用いても、二種以上を組み合わせて用いてもよい。（Ｂ）成分の配合量に特に制限はないが、乾燥性、仕上がり性、抑泡性、貯蔵安定性の点から、すすぎ助剤組成物全量に対して、０．１質量％〜１０質量％配合することが好ましく、０．２質量％〜３．０質量％がさらに好ましく、０．５質量％〜２．０質量％が特に好ましい（Ｂ）成分の割合が０．１質量％未満であると乾燥性、仕上がり性が不十分となる虞があり、１０質量％を超えると抑泡性および貯蔵安定性が低下する虞がある。
【００１７】
本発明のすすぎ助剤組成物は、上記（Ａ）成分と（Ｂ）成分とを質量比で、（Ａ）／（Ｂ）の値が０．１〜１．９となるように含有する。（Ａ）／（Ｂ）の値は乾燥性、仕上がり性、再汚染防止性、貯蔵安定性の点から０．４〜１．５が好ましく、０．７〜１．３がより好ましい。（Ａ）／（Ｂ）の値が０．１未満であると十分な再汚染防止効果が得られず、１．９を超えると乾燥性、仕上がり性、貯蔵安定性が低下する虞がある。
【００１８】
本発明のすすぎ助剤組成物において、（Ｃ）成分である水は、水道水、工業用水、再生水、イオン交換水、ＲＯ水、蒸留水、軟水等が挙げられる。これらは単独で用いても、二種以上を組み合わせてもよいが、貯蔵安定性の点からイオン交換水、ＲＯ水、蒸留水が好ましい。水道水としては、例えば、東京都荒川区の水道水（ｐＨ＝７．６、総アルカリ度（炭酸カルシウム換算として）４０．５ｍｇ／Ｌ、ドイツ硬度２．３°ＤＨ（そのうち、カルシウム硬度１．７°ＤＨ、マグネシウム硬度０．６°ＤＨ）、塩化物イオン２１．９ｍｇ／Ｌ、ナトリウム及びその化合物１５ｍｇ／Ｌ、硝酸態窒素及び亜硝酸態窒素１．２ｍｇ／Ｌ、フッ素及びその化合物０．１ｍｇ／Ｌ、ホウ素及びその化合物０．０４ｍｇ／Ｌ、総トリハロメタン０．０１６ｍｇ／Ｌ、残留塩素０．４ｍｇ／Ｌ、有機物（全有機炭素量）０．７ｍｇ／Ｌ）が挙げられる。
【００１９】
水は、すすぎ助剤組成物全体が１００質量％となるように配合（必要に応じて後述する（Ｄ）成分〜（Ｈ）成分を配合する場合、これらを含めて全体が１００質量％となるように配合）されるものである。例えば、（Ａ）成分〜（Ｆ）成分の各成分を、後述する好ましい配合割合である、（Ａ）成分０．１質量％〜５．０質量％、（Ｂ）成分０．１質量％〜１０質量％、（Ｄ）成分０．０５質量％〜１０質量％、（Ｅ）成分０．０５質量％〜３質量％、（Ｆ）成分０．１質量％〜３０質量％の範囲で配合する場合、（Ｃ）成分の水の配合量は、４２質量％〜９９．６質量％である。更に後述する（Ｇ）成分、（Ｈ）成分を好ましい配合割合である、（Ｇ）成分０．５質量％〜２０質量％、（Ｈ）成分０．５質量％〜２０質量％の範囲で配合する場合、水の配合量は、２質量％〜９８．６質量％である。
【００２０】
本発明のすすぎ助剤組成物は、仕上がり性、乾燥性、貯蔵安定性を高めるために、さらに（Ｄ）成分としてショ糖脂肪酸エステルを配合することができる。（Ｄ）成分のショ糖脂肪酸エステルに特に制限はないが、（Ａ）成分の可溶化力の点で高ＨＬＢのものが好ましく、例えば、ＨＬＢ値は１３以上、２０以下が好ましく、１４以上、２０以下がさらに好ましく、１５以上、２０以下が特に好ましい。具体的に、ショ糖ラウリン酸エステル、ショ糖ミリスチン酸エステル、ショ糖パルミチン酸エステル、ショ糖ステアリン酸エステル、ショ糖オレイン酸エステル等が挙げられ、中でも仕上がり性、乾燥性、貯蔵安定性の点からショ糖ラウリン酸エステル、ショ糖ミリスチン酸エステルが好ましく、ショ糖ラウリン酸エステルが特に好ましい。
【００２１】
本発明のすすぎ助剤組成物において、（Ｄ）成分は単独で用いても、二種以上を組み合わせて用いてもよい。（Ｄ）成分の配合量に特に制限はないが、乾燥性、仕上がり性、貯蔵安定性の点から、すすぎ助剤組成物全量に対して、０．０５質量％〜１０質量％配合することが好ましく、０．１質量％〜７．０質量％がさらに好ましく、０．２質量％〜４．０質量％が特に好ましい。（Ｄ）成分の割合が０．０５質量％未満であると仕上がり性、乾燥性、貯蔵安定性の向上効果が十分に得られない虞があり、１０質量％を超えると泡立ちが多くなり、抑泡性が低下する虞がある。
【００２２】
本発明のすすぎ助剤組成物は、抑泡性、貯蔵安定性を高めるために、さらに（Ｅ）成分としてソルビタン脂肪酸エステルを配合することができる。（Ｅ）成分のソルビタン脂肪酸エステルに特に制限はないが、抑泡性の点でソルビタンモノカプリル酸エステル、ソルビタンモノラウリン酸エステル、ソルビタンモノパルミチン酸エステルが好ましく、ソルビタンモノカプリル酸エステルが特に好ましい。
【００２３】
本発明のすすぎ助剤組成物において、（Ｅ）成分は単独で用いても、二種以上を組み合わせて用いてもよい。（Ｅ）成分の配合量に特に制限はないが、抑泡性、貯蔵安定性の点から、すすぎ助剤組成物全量に対して、０．０５質量％〜３質量％配合することが好ましく、０．１質量％〜２．０質量％がさらに好ましく、０．２質量％〜１．５質量％が特に好ましい。（Ｅ）成分の割合が０．０５質量％未満であると抑泡性の向上効果が十分に得られない虞があり、３質量％を超えると十分な貯蔵安定性が得られない虞がある。
【００２４】
本発明のすすぎ助剤組成物は、貯蔵安定性を高めるために、さらに（Ｆ）成分として有機溶剤を配合することができる。（Ｆ）成分の有機溶剤としては、例えば、エタノール、プロパノール、ブタノール等の低級アルコール類、エチレングリコール、プロピレングリコール、ブチレングリコール等のグリコール類、グリセリン、ポリグリセリン、ソルビトール等のポリオール類が挙げられるが、食器類に残留した場合の安全性の点から食品添加物であることが好ましく、また、貯蔵安定性の点からエタノール、グリセリンがさらに好ましく、エタノールとグリセリンの組み合わせであることが特に好ましい。
【００２５】
本発明のすすぎ助剤組成物において、（Ｆ）成分は単独で用いても、二種以上を組み合わせて用いてもよい。（Ｆ）成分の配合量に特に制限はないが、貯蔵安定性の点から、すすぎ助剤組成物全量に対して、０．１質量％〜３０質量％配合することが好ましく、５．０質量％〜２５質量％がさらに好ましく、８．０質量％〜２０質量％が特に好ましい。（Ｆ）成分の割合が０．１質量％未満もしくは３０質量％を超えると貯蔵安定性の向上効果が得られない虞がある。
【００２６】
本発明のすすぎ助剤組成物は、抗菌性、消臭性を高めるために、さらに（Ｇ）成分として、植物性抗菌・消臭剤及び抗菌ペプチドからなる群から選択された１種または２種以上を配合することができる。（Ｇ）成分の植物性抗菌・消臭剤としては、例えばアサ科植物、アカネ科植物、アブラナ科植物、イネ科植物、カキノキ科植物、キク科植物、シソ科植物、ショウガ科植物、ツバキ科植物、ナス科植物、ヒノキ科植物、フトモモ科植物、ブドウ科植物、マメ科植物、ミカン科植物、ユリ科植物に由来の抗菌・消臭剤が挙げられる。また抗菌ペプチドとしては、微生物由来のε−ポリリジン、ポリ−γ−グルタミン酸、ナイシン等、動物由来のリゾチーム、しらこ蛋白抽出物等が挙げられる。これらのうち、植物性抗菌・消臭剤としては、アブラナ科植物、イネ科植物、ショウガ科植物、ツバキ科植物、ブドウ科植物、ミカン科植物に由来の抗菌・消臭剤が好ましく、抗菌、消臭効果の面から、アブラナ科のカラシナ、イネ科のモウソウチク、ショウガ科のショウガ、ツバキ科のチャ、ブドウ科のブドウ、ミカン科のグレープフルーツが好ましい。また抗菌ペプチドとしては、ε−ポリリジン、ナイシンが好ましい。
【００２７】
アブラナ科のカラシナ由来の抗菌・消臭剤としては、カラシナの種子の脂肪油を除いた圧搾粕を水蒸気蒸留して得られる、イソチオシアン酸アリルを主成分とするカラシ抽出物等が挙げられる。カラシナ由来の抗菌・消臭剤としては、例えば三菱化学フーズ株式会社より市販されている、商品名「ワサオーロＢパウダー」等が挙げられる。イネ科のモウソウチク由来の抗菌・消臭剤としては、例えばモウソウチク抽出物、モウソウチク乾留物が挙げられる。モウソウチク抽出物は、モウソウチクの茎の表皮からエタノール等で抽出して得られるもので、成分として２，６−ジメトキシ−１，４−ベンゾキノンを含むものが挙げられる。モウソウチク乾留物は、モウソウチクの茎をチップ状にしたものを減圧加熱下で乾留して得られるもので、例えば白井松新薬株式会社より市販されている、商品名「ネオバンブス１０００」、商品名「ネオバンブス２０００」等が挙げられる。
【００２８】
ショウガ科のショウガ由来の抗菌・消臭剤は、シンゲロールやショウガオールを成分として含むもので、例えば日本粉末薬品株式会社より市販されている、商品名「ショウガ抽出液Ｈ」、「ショウガ抽出液Ｉ」等が挙げられる。ツバキ科のチャ由来の植物性抗菌・消臭剤としては、例えばチャ抽出物、チャ乾留物が挙げられる。チャ抽出物は、チャの葉より製した茶から、水、エタノール、アセトン、酢酸エチル、グリセリン水溶液等で抽出して得られるもので、成分としてカテキンを含むものが挙げられる。例えば太陽化学株式会社より市販されている、商品名「サンフェノン３０Ｓ」、商品名「サンフェノン９０ＭＢ」、佐藤食品工業株式会社より市販されている、商品名「ウーロン茶エキスＵ１」、「紅茶エキスパウダーＥ」、三井農林株式会社より市販されている、商品名「ポリフェノンＰＦ」等が挙げられる。チャ乾留物は、チャの葉より製した茶を乾留して得られるもので、例えば白井松新薬株式会社より市販されている、商品名「ＦＳ−５００ＦＰ」、商品名「ＦＳ−５００Ｇ」等が挙げられる。
【００２９】
ブドウ科のブドウ由来の植物性抗菌・消臭剤としては、例えばブドウ種子抽出物が挙げられる。ブドウ種子抽出物は、主成分としてプロアントシアニジンを含み、例えばキッコーマンバイオケミファ株式会社より市販されている、商品名「グラヴィノール−ＳＥ」、商品名「グラヴィノール−Ｆ」等が挙げられる。ミカン科のグレープフルーツ由来の抗菌・消臭剤としては、例えばグレープルーツ種子抽出物が挙げられる。グレープルーツ種子抽出物は、主成分として脂肪酸およびフラボノイドを含み、例えば株式会社アデプトより市販されている、商品名「Ｄｅｓｆａｎ−１０」、商品名「Ｄｅｓｆａｎ−１００」等が挙げられる。
【００３０】
本発明のすすぎ助剤組成物において、（Ｇ）成分は単独で用いても、二種以上を組み合わせて用いてもよい。（Ｇ）成分の配合量に特に制限はないが、消臭性、抗菌性の点から、すすぎ助剤組成物全量中に、０．５質量％〜２０質量％配合することが好ましく、０．８質量％〜１５質量％がさらに好ましく、１質量％〜１０質量％が特に好ましい。（Ｇ）成分の割合が０．５質量％未満の場合、消臭性、抗菌性効果が不十分となり、２０質量％を超えると貯蔵安定性が低下する虞がある。
【００３１】
本発明のすすぎ助剤組成物は、消臭性を高めるために、さらに（Ｈ）成分として、シクロデキストリンを配合することができる。
シクロデキストリンとしては、α−シクロデキストリン、β−シクロデキストリン、γ−シクロデキストリン、ヒドロキシプロピル−β−シクロデキストリン、メチル−β−シクロデキストリン、高度分岐シクロデキストリン等が挙げられ、α-シクロデキストリン、β-シクロデキストリン、γ-シクロデキストリンが好ましい。
【００３２】
本発明のすすぎ助剤組成物において、（Ｈ）成分は単独で用いても、二種以上を組み合わせて用いてもよい。（Ｈ）成分の配合量に特に制限はないが、消臭性の点から、すすぎ助剤組成物全量中に、０．５質量％〜２０質量％配合することが好ましく、０．８質量％〜１５質量％がさらに好ましく、１質量％〜１０質量％が特に好ましい。（Ｈ）成分の割合が０．５質量％未満の場合、消臭性効果が不十分となり、２０質量％を超えると貯蔵安定性が低下する虞がある。
【００３３】
本発明のすすぎ助剤組成物は、更に上記（Ｇ）成分及び／又は（Ｈ）成分を配合する場合、上記（Ａ）成分の（Ｇ）成分及び／又は（Ｈ）成分の総量に対する質量比（Ａ）／［（Ｇ）＋（Ｈ）］の値が０．００５〜１０となるように含有することが好ましい。（Ａ）／［（Ｇ）＋（Ｈ）］の値は消臭性、抗菌性、貯蔵安定性の点から０．０１〜８がより好ましく、０．０５〜６が更に好ましい。（Ａ）／［（Ｇ）＋（Ｈ）］の値が０．００５未満であると貯蔵安定性が不良となる虞があり、１０を超えると十分な消臭、抗菌効果が得られない虞がある。
【００３４】
（Ｇ）成分の２種以上を併用したり、（Ｇ）成分の１種以上と（Ｈ）成分の１種以上とを併用すると、抗菌性及び消臭性の更なる向上を図ることができるため好ましい。（Ｇ）成分の２種以上を併用する場合、植物性抗菌・消臭剤の２種以上を併用しても、抗菌ペプチドの２種以上を併用しても、植物性抗菌・消臭剤の１種以上と、抗菌ペプチドの１種以上を併用しても良い。（Ｇ）成分と（Ｈ）成分を併用する場合、植物性抗菌・消臭剤の１種以上を（Ｈ）成分と併用しても、抗菌ペプチドの１種以上を（Ｈ）成分と併用しても、植物性抗菌・消臭剤の１種以上及び抗菌ペプチドの１種以上と（Ｈ）成分とを併用しても良い。また（Ｈ）成分の２種以上を併用すると、（Ｈ）成分を単独で用いた場合に比べ、消臭性の更なる向上を図ることができるため好ましい。
【００３５】
本発明のすすぎ助剤組成物において、上記（Ｄ）成分〜（Ｈ）成分の各成分は、１成分または２成分以上を組み合わせて配合することができる。また本発明のすすぎ助剤組成物には、本発明の効果を損なわない範囲で、更に必要に応じ当該技術分野で通常使用される他の成分を含有していてもよい。このような成分としては、金属腐食抑制剤、高分子分散剤、増粘剤、ｐＨ調整剤、酵素、色素、香料等が挙げられる。
【００３６】
金属腐食抑制剤としては、短鎖のジカルボン酸もしくはトリカルボン酸などのポリカルボン酸、リン酸エステル、ベンゾトリアゾール、トリルトリアゾールもしくはメルカプトベンゾチアゾールなどのトリアゾール、１−ヒドロキシエチリデン−１，１−ジホスホン酸などのようなホスホン酸、アジピン酸、グルタル酸、又はコハク酸等が挙げられる。
【００３７】
高分子分散剤としては、例えば、ポリアクリル酸、ポリマレイン酸、ポリメタクリル酸、アクリル酸型共重合体、マレイン酸型共重合体、メタクリル酸型共重合体、アクリル酸−スルホン酸型モノマー共重合体等が挙げられる。
【００３８】
ｐＨ調整剤としては、例えば、酢酸、塩酸、硫酸、硝酸、リン酸、水酸化ナトリウム、水酸化カリウム、酢酸ナトリウム、又は炭酸ナトリウム等が挙げられる。
【００３９】
酵素としては、リパーゼ、アルカリアミラーゼ、アミラーゼ、セルラーゼ、プロテアーゼ、又はプルラナーゼ等が挙げられる。香料としては、例えば、天然香料、合成香料、又はこれらの調合香料等が挙げられる。また、色素としては、例えば、天然色素、合成色素、又はこれらの混合物が挙げられる。
【００４０】
次に本発明の食器類の洗浄方法について説明する。本発明のすすぎ助剤組成物を用いて自動食器洗浄機で食器類の洗浄を行う方法としては、自動食器洗浄機用洗浄剤を自動食器洗浄機の洗浄液タンク内で水に希釈して洗浄液タンク内で加熱保持する工程、洗浄液タンク内の洗浄液を洗浄機庫内に噴射して食器類を洗浄する工程、洗浄後に本発明のすすぎ助剤組成物を含むすすぎ液ですすぐ工程とを連続して行う方法が挙げられる。洗浄液は、自動食器洗浄機用洗浄剤濃度が０．０１〜０．３質量％になるように調製することが好ましい。洗浄剤組成物を水に希釈して洗浄液を調整する方法としては、水溶液の電気伝導度を測定して洗浄液を調整する方法や、定量的に洗浄剤組成物を供給して洗浄液を調整する方法等がある。電気伝導度を測定する方法では、洗浄剤組成物の水溶液の電気伝導度が溶解した洗浄剤組成物の濃度に比例することを利用し、洗浄剤組成物を溶解した洗浄液タンクの水溶液の電気伝導度を測定することで洗浄剤の濃度を制御する。通常、洗浄液タンクの水溶液の電気伝導度を測定して、電気伝導度が低い場合には、自動的に洗浄剤組成物が洗浄タンクに供給される。定量的に洗浄剤組成物を供給する方法としては、ペリスタルティックポンプ等のポンプとタイマーを連動させた装置にチューブを接続し、定量供給されるようにタイマーを設定し、チューブを通して洗浄剤組成物が洗浄タンクに供給される。これらの方法によって、洗浄剤組成物を所定濃度に希釈調製した洗浄液は、洗浄液タンク内で通常、４０℃〜７０℃以下で保持される。洗浄液は洗浄機庫内の食器類に対し、３０秒〜１２０秒噴射される。
【００４１】
本発明の食器類の洗浄方法において、すすぎ助剤組成物を含むすすぎ液ですすぐ工程は、本発明のすすぎ助剤組成物を、０．００１質量％〜０．１質量％、好ましくは０．００２質量％〜０．０８質量％、より好ましくは０．００５質量％〜０．０５質量％となるように希釈して生成されたすすぎ液を用いる。このとき、すすぎ液中の（Ａ）成分と（Ｂ）成分の濃度の合計が０．００００１質量％〜０．００１質量％であることが好ましく、０．００００５質量％〜０．０００８質量％がさらに好ましく、０．０００１質量％〜０．０００６質量％が特に好ましい。すすぎ液中の（Ａ）成分と（Ｂ）成分の濃度の合計が０．００００１質量％未満であると乾燥性、仕上がり性、再汚染防止性が不十分となる虞があり、０．００１質量％を超えると経済性の点で好ましくない。当該すすぎ液を、ガラス、陶器、磁器、金属、又はプラスチック等の材質の食器・調理器具等を効率よく洗浄する自動食器洗浄機のすすぎ工程に用いることができる。本発明の洗浄方法では、たとえば上述したすすぎ助剤組成物をポンプ等により自動食器洗浄機のすすぎ配管中に供給し、すすぎ配管中の水（通常は温水）と混合して、すすぎ助剤組成物の濃度が０．００１質量％〜０．１質量％となるように調整してすすぎ液を生成し、当該すすぎ液を洗浄機のノズルから一定量噴射してすすぎを行う。このすすぎ液を調製する水の温度、および生成されたすすぎ液の温度は４０℃〜９０℃が好ましく、５０℃〜９０℃がより好ましい。４０℃未満では、十分な乾燥性、仕上がり性が得られず、９０℃を超える場合には、それ以上の乾燥性、仕上がり性の向上は見込まれない。
【００４２】
本発明のすすぎ助剤組成物を希釈して生成されたすすぎ液は、すすぎ工程において洗浄機の平面積２５００ｃｍ2あたり１Ｌ〜３Ｌ噴射して食器類をすすぐことが好ましい。すすぎ液は洗浄機庫内の食器類に対し、３秒〜２０秒噴射される。すすぎ後、すすぎ助剤組成物を含むすすぎ液は洗浄タンクに流入し、洗浄タンク内の洗浄剤の希釈溶媒として利用される。
【００４３】
自動食器洗浄機で洗浄剤組成物およびすすぎ助剤組成物の希釈に使用される水としては、特に限定されず、たとえば、イオン交換水、蒸留水、純水、軟水、水道水またはこれらを用いて適度な硬度となるように塩化カルシウムなどで調整した人工硬水であってもよい。より具体的な例としては、東京都荒川区の水道水（ｐＨ＝７．６、総アルカリ度（炭酸カルシウム換算として）４０．５ｍｇ／Ｌ、ドイツ硬度２．３°ＤＨ（そのうち、カルシウム硬度１．７°ＤＨ、マグネシウム硬度０．６°ＤＨ）、塩化物イオン２１．９ｍｇ／Ｌ、ナトリウム及びその化合物１５ｍｇ／Ｌ、硝酸態窒素及び亜硝酸態窒素１．２ｍｇ／Ｌ、フッ素及びその化合物０．１ｍｇ／Ｌ、ホウ素及びその化合物０．０４ｍｇ／Ｌ、総トリハロメタン０．０１６ｍｇ／Ｌ、残留塩素０．４ｍｇ／Ｌ、有機物（全有機炭素量）０．７ｍｇ／Ｌ）が挙げられる。
【００４４】
本発明のすすぎ助剤組成物は、ガラス、陶器、磁器、金属、プラスチック等あらゆる材質の食器・調理器具、自動食器洗浄機中において食器・調理器具を立て掛けるクレートのすすぎ、乾燥仕上げに適しており、家庭用自動食器洗浄機、業務用自動食器洗浄機のすすぎ助剤として用いることができるが、特に、ホテル、レストラン、学校、病院、飲食店、給食会社、会社の食堂等において使用される業務用の自動食器洗浄機、特に節水型自動食器洗浄機に好適に用いることができる。ここで、クレートとは、ＪＩＳ  Ｚ１６５５：プラスチック製通い容器のことをいう。クレート等を利用している主な業界としては、洋日配食製造業（牛乳・乳製品、ケーキ、パン等）、和日配食製造業（豆腐、納豆、漬物類）、酒類・飲料（清酒、ビール等）、農業・農協（青果物等）が挙げられる。
【００４５】
本発明のすすぎ助剤組成物は、野菜又は果物といった食品（青果類）に付着した泥や異物の洗浄用にも適している。本発明の野菜又は果物洗浄用組成物は、（Ａ）ＨＬＢが５以下のポリグリセリン脂肪酸エステル、（Ｂ）ＨＬＢが１３以上のポリグリセリン脂肪酸エステル、（Ｃ）水を含有し、質量比で（Ａ）成分／（Ｂ）成分の値が０．１〜１．９となるように（Ａ）成分、（Ｂ）成分を含有するもので、更に（Ｄ）成分としてショ糖脂肪酸エステル、（Ｅ）成分としてソルビタン脂肪酸エステル、（Ｆ）成分として有機溶剤、（Ｇ）成分として、植物性抗菌・消臭剤及び／又は抗菌ペプチド、（Ｈ）成分としてシクロデキストリン、の１種または２種以上の成分を含有することができる。本発明の野菜又は果物洗浄用組成物は、０．００５質量％〜０．５質量％となるように希釈して、野菜、果物類洗浄機用の洗浄剤として使用できるし、野菜・果物の浸漬洗浄用や、表面の汚れをスポンジ等を用いて洗い落とすための洗浄剤としても使用できる。野菜又は果物洗浄用組成物より調整した洗浄水により野菜や果物類を洗浄する場合、洗浄水の温度は４℃〜２５℃が好ましく、５℃〜１５℃がより好ましい。
【実施例】
【００４６】
以下、本発明を実施例と比較例により具体的に説明する。実施例、比較例において配合に用いた各成分を下記に示した。なお、表中における実施例及び比較例の配合の数値は純分の質量％を表す。
【００４７】
（Ａ）成分
Ａ−１：テトラグリセリン縮合リシノール酸エステル（ＨＬＢ２〜３）
Ａ−２：ペンタグリセリン縮合リシノール酸エステル（ＨＬＢ０．５〜２）
Ａ−３：ヘキサグリセリン縮合リシノール酸エステル１（ＨＬＢ２〜３）
Ａ−４：ヘキサグリセリン縮合リシノール酸エステル２（ＨＬＢ３〜４）
Ａ−５：テトラグリセリンオレイン酸エステル（ＨＬＢ２．９）
Ａ−６：デカグリセリンエルカ酸エステル（ＨＬＢ３．７）
【００４８】
（Ｂ）成分
Ｂ−１：テトラグリセリンカプリル酸エステル（ＨＬＢ１６．１）
Ｂ−２：デカグリセリンカプリル酸エステル（ＨＬＢ１６．１）
Ｂ−３：ヘキサグリセリンラウリン酸エステル（ＨＬＢ１３．４）
【００４９】
（Ｃ）成分
Ｃ−１：イオン交換水
【００５０】
（Ｄ）成分
Ｄ−１：ショ糖ラウリン酸エステル（商品名：リョートーシュガーエステルＬＷＡ−１５７０、三菱化学フーズ株式会社製、ＨＬＢ１５）
Ｄ−２：ショ糖ミリスチン酸エステル（商品名：リョートーシュガーエステルＭ−１６９５、三菱化学フーズ株式会社製、ＨＬＢ１６）
Ｄ−３：ショ糖ステアリン酸エステル（商品名：リョートーシュガーエステルＳ−１６７０、三菱化学フーズ株式会社製、ＨＬＢ１６）
【００５１】
（Ｅ）成分
Ｅ−１：ソルビタンカプリル酸エステル１（ＨＬＢ１０．６）
Ｅ−２：ソルビタンカプリル酸エステル２（ＨＬＢ１５．１）
Ｅ−３：ソルビタンラウリン酸エステル（ＨＬＢ７．４）
【００５２】
（Ｆ）成分
Ｆ−１：グリセリン
Ｆ−２：エタノール
Ｆ−３：ソルビトール
【００５３】
（Ｇ）成分
Ｇ−１：グレープフルーツ種子抽出物（商品名：Ｄｅｓｆａｎ-１０、株式会社アデプト製）
Ｇ−２：チャ乾留物（商品名：ＦＳ−５００ＦＰ、白井松新薬株式会社製）
Ｇ−３：チャ抽出物（商品名：サンフェノン９０ＭＢ−ＯＰ、太陽化学株式会社製）
Ｇ−４：カラシ抽出物（商品名：ワサオーロＢパウダー、三菱化学フーズ株式会社製）
Ｇ−５：モウソウチク乾留物（商品名：ネオバンブス２０００、白井松新薬株式会社製）
Ｇ−６：ブドウ種子抽出物（商品名：グラヴィノール−ＳＥ、キッコーマンバイオケミファ株式会社製）
Ｇ−７：ε−ポリリジン（商品名：ε‐ポリリジン、ＪＮＣ株式会社製）
【００５４】
Ｈ−１：α−シクロデキストリン（商品名：ＣＡＶＡＭＡＸ Ｗ６ Ｆｏｏｄ、株式会社シクロケム製）
Ｈ−２：β−シクロデキストリン（商品名：ＣＡＶＡＭＡＸ Ｗ７ Ｆｏｏｄ、株式会社シクロケム製）
Ｈ−３：γ−シクロデキストリン（商品名：ＣＡＶＡＭＡＸ Ｗ８ Ｆｏｏｄ、株式会社シクロケム製）
【００５５】
（Ｇ）成分、（Ｈ）成分の比較成分
安息香酸ナトリウム
【００５６】
実施例１〜１４０、比較例１〜１３
表１〜１６に示す組成物を調製した。各組成物を、すすぎ助剤としてすすぎに用いた場合の乾燥性、仕上がり性、再汚染防止性、抑泡性、貯蔵安定性、抗菌性、消臭性、野菜洗浄用として用いた場合の野菜の洗浄性を試験した。表１〜８、表１０〜１５に実施例１〜１４０の結果を、表９、表１６に比較例１〜１３の結果をそれぞれ示す。
【００５７】
＊１：乾燥性試験
＜被洗浄物＞
直径６ｃｍ、高さ１１ｃｍのガラスコップを被洗浄物とした。
【００５８】
＜試験方法＞
ドアタイプ自動食器洗浄機（ホシザキ株式会社製自動食器洗浄機：ＪＷＥ−６８０ＡＪ）を用いて、洗浄ラックに被洗浄物を設置し、洗浄、すすぎ、乾燥を行った。すすぎは、８０℃に保持し、すすぎ助剤組成物０．０１質量％水溶液にて行った。洗浄剤の希釈水、すすぎ助剤組成物の希釈水には塩化カルシウムを用いて硬度８°ＤＨに調整した人工硬水を用いた。すすぎ後、被洗浄物を室温に放置し、表面の水滴および水膜が消失するまでに要する時間（乾燥時間）を測定し、以下の基準で評価した。
【００５９】
＜試験条件＞
洗浄温度：６０℃
洗浄時間：４１秒
洗浄剤：ディッシュパワー（ＡＤＥＫＡクリーンエイド株式会社製）
洗浄剤濃度：０．１質量％
すすぎ温度：８０℃
すすぎ時間：６秒
供試すすぎ助剤組成物濃度：０．０１質量％
【００６０】
＜評価基準＞
〇：乾燥時間が５００秒未満。
△：乾燥時間が５００秒以上７５０秒未満。
×：乾燥時間が７５０秒以上。
とし、〇、△を実用性あるものとして判定した。
【００６１】
＊２：仕上がり性試験
＜被洗浄物＞
直径６ｃｍ、高さ１１ｃｍのガラスコップを被洗浄物とした。
【００６２】
＜試験方法＞
ドアタイプ自動食器洗浄機（ホシザキ株式会社製自動食器洗浄機：ＪＷＥ−６８０ＡＪ）を用いて、洗浄ラックに被洗浄物を設置し、洗浄、すすぎ、乾燥を行った。すすぎは、８０℃に保持し、すすぎ助剤組成物０．０１質量％水溶液にて行った。洗浄剤の希釈水、すすぎ助剤組成物の希釈水には塩化カルシウムを用いて硬度８°ＤＨに調整した人工硬水を用いた。すすぎ後、被洗浄物を室温で３０分間自然乾燥させたのち、蛍光灯にかざして、被洗浄物表面に発生するスポットの面積を目視判断し、以下の基準で評価した。
【００６３】
＜試験条件＞
洗浄温度：６０℃
洗浄時間：４１秒
洗浄剤：ディッシュパワー（ＡＤＥＫＡクリーンエイド株式会社製）
洗浄剤濃度：０．１質量％
すすぎ温度：８０℃
すすぎ時間：６秒
供試すすぎ助剤組成物濃度：０．０１質量％
【００６４】
＜評価基準＞
〇：スポット発生面積が０％以上、２０％未満。
△：スポット発生面積が２０％以上、４０％未満。
×：スポット発生面積が４０％以上、１００％以下。
とし、〇、△を実用性あるものとして判定した。
【００６５】
＊３：再汚染防止性試験（乾燥性）
＜被洗浄物＞
直径６ｃｍ、高さ１１ｃｍのガラスコップを被洗浄物とした。
【００６６】
＜試験方法＞
ドアタイプ自動食器洗浄機（ホシザキ株式会社製自動食器洗浄機：ＪＷＥ−６８０ＡＪ）を用いて、洗浄ラックに被洗浄物を設置し、洗浄、すすぎ、乾燥を行った。すすぎは、８０℃に保持し、すすぎ助剤組成物０．０１質量％水溶液にて行った。洗浄剤の希釈水、すすぎ助剤組成物の希釈水には塩化カルシウムを用いて硬度８°ＤＨに調整した人工硬水を用いた。洗浄液には予め汚れを添加した。すすぎ後、被洗浄物を室温に放置し、表面の水滴および水膜が消失するまでに要する時間を測定し、以下の基準で評価した。
【００６７】
＜試験条件＞
洗浄温度：６０℃
洗浄時間：４１秒
洗浄剤：ディッシュパワー（ＡＤＥＫＡクリーンエイド株式会社製）
洗浄剤濃度：０．１質量％
汚れ：マヨネーズ（キューピー株式会社製）
汚れ濃度：０．１質量％
すすぎ温度：８０℃
すすぎ時間：６秒
供試すすぎ助剤組成物濃度：０．０１質量％
【００６８】
＜評価基準＞
（＊３試験の乾燥時間）／（＊１試験の乾燥時間）を評価値として算出した。
○：評価値が１．０以上、１．１未満。
△：評価値が１．１以上、１．４未満。
×：評価値が１．４以上。
とし、○、△を実用性あるものとして判定した。
【００６９】
＊４：再汚染防止性試験（仕上がり性）
＜被洗浄物＞
直径６ｃｍ、高さ１１ｃｍのガラスコップを被洗浄物とした。
【００７０】
＜試験方法＞
ドアタイプ自動食器洗浄機（ホシザキ株式会社製自動食器洗浄機：ＪＷＥ−６８０ＡＪ）を用いて、洗浄ラックに被洗浄物を設置し、洗浄、すすぎ、乾燥を行った。すすぎは、８０℃に保持し、すすぎ助剤組成物０．０１質量％水溶液にて行った。洗浄剤の希釈水、すすぎ助剤組成物の希釈水には塩化カルシウムを用いて硬度８°ＤＨに調整した人工硬水を用いた。洗浄液には予め汚れを添加した。すすぎ後、被洗浄物を室温で３０分間自然乾燥させたのち、蛍光灯にかざして、被洗浄物表面に発生するスポットの面積を目視判断し、以下の基準で評価した。
【００７１】
＜試験条件＞
洗浄温度：６０℃
洗浄時間：４１秒
洗浄剤：ディッシュパワー（ＡＤＥＫＡクリーンエイド株式会社製）
洗浄剤濃度：０．１質量％
汚れ：マヨネーズ（キューピー株式会社製）
汚れ濃度：０．１質量％
すすぎ温度：８０℃
すすぎ時間：６秒
供試すすぎ助剤組成物濃度：０．０１質量％
【００７２】
＜評価基準＞
（＊４試験のスポット発生面積）／（＊２試験のスポット発生面積）を評価値として算出した。
○：評価値が１．０以上、１．１未満。
△：評価値が１．１以上、１．３未満。
×：評価値が１．３以上。
とし、○、△を実用性あるものとして判定した。
【００７３】
＊５：再汚染防止性試験（汚れ付着性）
＜被洗浄物＞
直径１６ｃｍのポリプロピレン皿を被洗浄物とした。
【００７４】
＜試験方法＞
ドアタイプ自動食器洗浄機（ホシザキ株式会社製自動食器洗浄機：ＪＷＥ−６８０ＡＪ）を用いて、洗浄ラックに被洗浄物を設置し、洗浄のみを行い、すすぎ、乾燥は行わなかった。洗浄剤の希釈水には塩化カルシウムを用いて硬度３°ＤＨに調整した人工硬水を用いた。洗浄液には予め洗浄剤、すすぎ助剤組成物、汚れを添加した。洗浄後、被洗浄物表面を観察し、油脂汚れの付着の様子を以下の基準で評価した。
【００７５】
＜試験条件＞
洗浄温度：６０℃
洗浄時間：４１秒
洗浄剤：ウオッシュメイトＬ１コンク（ＡＤＥＫＡクリーンエイド株式会社製）
洗浄剤濃度：０．１質量％
汚れ：日清オイリオサラダオイル（日清オイリオグループ株式会社製）
汚れ濃度：０．０１質量％
供試すすぎ助剤組成物濃度：０．０１質量％
【００７６】
＜評価基準＞
〇：油汚れの付着がほとんど見られない。
△：油汚れの付着がわずかに見られる。
×：油汚れの付着が多く見られる。
とし、〇、△を実用性あるものとして判定した。
【００７７】
＊６：抑泡性試験
＜試験方法＞
コンベアタイプ自動食器洗浄機（株式会社ＩＨＩ製：ＪＷＦ−６４５）を用い、以下の運転条件で運転を開始し、１５分経過時に運転した状態における洗浄槽の泡高を測定し、以下の基準で評価した。洗浄剤の希釈水、すすぎ助剤組成物の希釈水には塩化カルシウムを用いて硬度３°ＤＨに調整した人工硬水を用いた。洗浄液には予め洗浄剤、すすぎ助剤組成物、汚れを添加した。
【００７８】
＜運転条件＞
洗浄温度：６０℃
洗浄剤：ディッシュパワー（ＡＤＥＫＡクリーンエイド株式会社製）
洗浄剤濃度：０．２質量％
供試すすぎ助剤組成物濃度：０．０５質量％
汚れ（スキムミルク（雪印メグミルク株式会社製））：０．０５質量％
【００７９】
＜評価基準＞
〇：洗浄槽内液面より泡高が０ｍｍ以上、１００ｍｍ未満。
△：洗浄槽内液面より泡高が１００ｍｍ以上、２００ｍｍ未満。
×：洗浄槽内液面より泡高が２００ｍｍ以上。
とし、〇、△を実用性あるものとして判定した。
【００８０】
＊７：貯蔵安定性試験
＜試験方法＞
各すすぎ助剤組成物を１００ｍＬ透明ポリプロピレン容器にとり蓋をして−５℃、２５℃、４０℃の恒温槽中で保管し、−５℃、２５℃の恒温槽中の場合は６か月間静置保管後、４０℃の恒温槽中の場合は３か月間静置保管後の、外観を観察し以下の基準で評価した。
【００８１】
＜評価基準＞
○：濁りはほぼなく、分離は見られない。
△：濁りは見られるが、分離は見られない。
×：分離が見られる。
とし、〇、△を実用性あるものとして判定した。
【００８２】
＊８：洗浄性試験（野菜）
＜被洗浄物＞
泥付きのホウレンソウの根元部分を切り離し、葉部分を被洗浄物とした。
【００８３】
＜試験方法＞
各すすぎ助剤組成物を、塩化カルシウムを用いて硬度３°ＤＨに調整した人工硬水で０．１質量％に希釈した希釈液２０００ｍＬをボウルに入れ、被洗浄物２００ｇを１０℃に調整した希釈液中に浸漬させてシリコン製のヘラを用いて６０秒間ゆるやかに撹拌した後、被洗浄物を取り出して表面を観察し、以下の基準で洗浄性を評価した。
【００８４】
＜評価基準＞
〇：泥の付着がほとんど見られない。
△：泥の付着がわずかに見られる。
×：泥の付着が多く見られる。
とし、〇、△を実用性あるものとして判定した。
【００８５】
＊９：消臭性試験
＜試験方法＞
洗浄剤および悪臭成分を洗浄機に投入し、均一になるように数回すすぎなしで稼動させる。２５０ｍＬのグラスに悪臭成分２ｇを塗布し、ドアタイプ自動食器洗浄機（ホシザキ株式会社製自動食器洗浄機：ＪＷＥ−６８０ＡＪ）の洗浄ラックに設置し、洗浄、すすぎ、乾燥を行った。すすぎは８０℃に保持し、すすぎ助剤組成物０．０１質量％水溶液にて行った。洗浄剤の希釈水、すすぎ助剤組成物の希釈水には、塩化カルシウムを用いて硬度３°ＤＨに調製した人工硬水を用いた。すすぎ後、被洗浄物を室温に放置し、乾燥させた後、官能試験により悪臭の有無を評価した。
【００８６】
＜試験条件＞
洗浄温度：６０℃
洗浄時間：４１秒
洗浄剤：ディッシュパワー（ＡＤＥＫＡクリーンエイド株式会社製）
洗浄剤濃度：０．１質量％
すすぎ温度：８０℃
すすぎ時間：６秒
供試すすぎ助剤組成物濃度：０．０１質量％
＜悪臭成分＞
イカ塩辛（株式会社桃屋製）１５ｇ、マヨネーズ（キューピー株式会社製）１５ｇの混合物
【００８７】
＜評価基準＞
◎：悪臭がまったくしない。
○：悪臭がほとんどしない。
△：悪臭がややする。
×：悪臭がひどくする。
とし、△、○、◎を実用性のあるものとして評価した。
【００８８】
＊１０：抗菌性試験１（バイオフィルム抑制性）
＜試験方法＞
各すすぎ助剤組成物５ｇを、滅菌済みのミューラーヒントン培地（日本ベクトン・ディッキンソン株式会社製）に添加して、すすぎ助剤組成物の５質量％溶液を調製した。この５質量％溶液を、更に滅菌済みミュラーヒントン培地を用いて０．０１質量％に希釈調製し、各希釈液２ｍＬを、２４穴マイクロプレート（ＡＧＣテクノグラス株式会社製）のウェルに量り取った。次いで、３質量％ウシアルブミン溶液を０．３質量％となるように、希釈液を量り取ったウェルに添加した。
【００８９】
緑膿菌（Pseudomonas aeruginosa NBRC13275）、クレブシェラ菌（Klebsiella pneumoniae ATCC13883）を、それぞれＬＢ培地（日本ベクトン・ディッキンソン株式会社製）を用いて、３７℃で１８時間、前培養して増殖した菌液を、マイクロプレート内の試験溶液に１０μＬ接種した。これを３７℃で４８時間培養後に培養液を廃棄し、ウェル内を滅菌精製水２ｍＬで５回洗浄した後、マイクロプレートのウェル壁に付着したバイオフィルムを０．１質量％クリスタルバイオレット液で染色し、滅菌水ですすいだ後、ウェル壁面におけるバイオフィルム形成面積を目視判断し、バイオフィルム抑制性を以下の基準により評価した。評価は、緑膿菌、クレブシェラ菌のそれぞれについてバイオフィルムが形成されている面積に応じて点数で評価し、２菌種の点数の平均によりバイオフィルム抑制性を評価した。
【００９０】
＜評価基準＞
１点：バイオフィルムがウェル壁面の０％以上、２０％未満を覆っている。
２点：バイオフィルムがウェル壁面の２０％以上、４０％未満を覆っている。
３点：バイオフィルムがウェル壁面の４０％以上、６０％未満を覆っている。
４点：バイオフィルムがウェル壁面の６０％以上を覆っている。
とし、２菌種の点数の平均値より、
◎：平均値が１点以上、１．５点未満。
○：平均値が１．５点以上、２．５点未満。
△：平均値が２．５点以上、３．５点未満。
×：平均値が３．５点以上。
とし、△、○、◎を実用性のあるものとして判定した。
【００９１】
＊１１：抗菌性試験２（被洗浄物の抗菌性試験）
＜試験片及び対照片の作製＞
５０ｍｍ角のガラスパネルにマヨネーズ（キューピー株式会社製）０．２ｇを均一に塗布し、室温で乾燥させた後、このガラスパネルをドアタイプ自動食器洗浄機（ホシザキ株式会社製自動食器洗浄機：ＪＷＥ−６８０ＡＪ）の洗浄ラックに設置し、洗浄、すすぎ、乾燥を行った。すすぎは、８０℃に保持し、実施例又は比較例のすすぎ助剤組成物０．０１質量％水溶液にて行った。洗浄剤の希釈水、すすぎ助剤組成物の希釈水には塩化カルシウムを用いて硬度３°ＤＨに調整した人工硬水を用いた。すすぎ後、室温中に放置して乾燥させたものを試験片とした。一方、上記実施例又は比較例のすすぎ助剤組成物の替わりに、ＡＤＥＫＡクリーンエイド株式会社製のディッシュドライをすすぎ助剤として供し、試験片と同じ条件で洗浄、すすぎを行った後、同様にして乾燥させたものを対照片とした。
【００９２】
＜試験片作製条件＞
洗浄温度：６０℃
洗浄時間：４１秒
洗浄剤：ディッシュパワー（ＡＤＥＫＡクリーンエイド株式会社製）
洗浄剤濃度：０．１質量％
すすぎ温度：８０℃
すすぎ時間：６秒
供試すすぎ助剤組成物濃度：０．０１質量％
【００９３】
＜対照片作製条件＞
洗浄温度：６０℃
洗浄時間：４１秒
洗浄剤：ディッシュパワー（ＡＤＥＫＡクリーンエイド株式会社製）
洗浄剤濃度：０．１質量％
すすぎ温度：８０℃
すすぎ時間：６秒
すすぎ助剤：ディッシュドライ（ＡＤＥＫＡクリーンエイド株式会社製）
すすぎ助剤濃度：０．０１質量％
【００９４】
＜試験方法＞
緑膿菌（Pseudomonas aeruginosa NBRC13275）、クレブシェラ菌（Klebsiella pneumoniae ATCC13883）を、それぞれＮＢ培地（栄研化学株式会社製）を用いて、３７℃で１８時間、前培養して増殖した菌液を、５００倍に希釈したＮＢ培地で、２．５×１０５〜１×１０６ｃｆｕ／ｍＬになるように希釈したものを試験菌液とした。対照片および各試験片を、それぞれ滅菌シャーレ内に置き、シャーレ内の対照片及び試験片に試験菌液０．４ｍＬを滴下し、その上に４０ｍｍ角の滅菌ポリエチレンフィルムを被せ試験菌液を密着させた。シャーレの蓋を閉め、３５℃、相対湿度９０％以上で２４時間培養した後、別の滅菌シャーレに対照片、試験片およびポリエチレンフィルムを試験菌液とともに移し、ＳＣＤＬＰ培地（栄研化学株式会社製）１０ｍＬを用いて、対照片、各試験片およびポリエチレンフィルムに付着している菌液を４回以上洗浄して洗い出した。洗い出し液の生菌数を、寒天希釈平板法により測定した。
洗い出し液１ｍＬを、リン酸緩衝生理食塩水９．０ｍＬを入れた試験管に採取し、十分混合した後、混合液１ｍＬを別の試験管中のリン酸緩衝生理食塩水中に加えて混合する。この操作を繰り返して１０倍希釈系列希釈液を作製した後、２枚の滅菌シャーレそれぞれに、この希釈液１ｍＬを分注する。シャーレ１枚あたり、４６〜４８℃に保温した標準寒天培地１５〜２０ｍＬを加えて混合する。シャーレの蓋をして室温で放置し、培地が固まった後、シャーレを倒置して培養器中で３５±１℃で４０〜４８時間培養し、培養後、３０〜３００個の集落が現れた希釈系列のシャーレの集落数（２枚のシャーレの集落数の平均値）を測定し、対照片及び試験片あたりの生菌数を求めた。
【００９５】
＜評価基準＞
◎：対照片と比較して生菌数の常用対数値が４以上の減少。
〇：対照片と比較して生菌数の常用対数値が３以上、４未満の減少。
△：対照片と比較して生菌数の常用対数値が２以上、３未満の減少。
×：対照片と比較して生菌数の常用対数値が２未満の減少。
とし、△、○、◎を実用性のあるものとして判定した。
【００９６】
【表１】
2019052300.tif 000002
【００９７】
【表２】
2019052300.tif 000003
【００９８】
【表３】
2019052300.tif 000004
【００９９】
【表４】
2019052300.tif 000005
【０１００】
【表５】
2019052300.tif 000006
【０１０１】
【表６】
2019052300.tif 000007
【０１０２】
【表７】
2019052300.tif 000008
【０１０３】
【表８】
2019052300.tif 000009
【０１０４】
【表９】
2019052300.tif 000010
【０１０５】
【表１０】
2019052300.tif 000011
【０１０６】
【表１１】
2019052300.tif 000012
【０１０７】
【表１２】
2019052300.tif 000013
【０１０８】
【表１３】
2019052300.tif 000014
【０１０９】
【表１４】
2019052300.tif 000015
【０１１０】
【表１５】
2019052300.tif 000016
【０１１１】
【表１６】
2019052300.tif 000017
【手続補正書】
【提出日】平成31年1月22日(2019.1.22)
【手続補正１】
【補正対象書類名】明細書
【補正対象項目名】００１０
【補正方法】変更
【補正の内容】
【００１０】
即ち本発明は
（１）（Ａ）ＨＬＢが５以下のポリグリセリン脂肪酸エステル、（Ｂ）ＨＬＢが１４以上のポリグリセリン脂肪酸エステル、（Ｃ）水を含有し、質量比で（Ａ）成分／（Ｂ）成分の値が０．１〜１．９である、すすぎ助剤組成物、
（２）（Ａ）成分がグリセリンの平均重合度が３〜１０であるポリグリセリン縮合リシノール酸エステルである、上記（１）のすすぎ助剤組成物、
（３）（Ｂ）成分がグリセリンの平均重合度が３〜１２、脂肪酸の炭素数が８〜１８のポリグリセリン脂肪酸エステルである、上記（１）又は（２）のすすぎ助剤組成物、
（４）さらに、（Ｄ）成分としてショ糖脂肪酸エステルを含有する、上記（１）〜（３）のいずれかのすすぎ助剤組成物、
（５）さらに、（Ｅ）成分としてソルビタン脂肪酸エステルを含有する、上記（１）〜（４）のいずれかのすすぎ助剤組成物、
（６）さらに、（Ｆ）成分として有機溶剤を含有する、上記（１）〜（５）のいずれかのすすぎ助剤組成物、
（７）前記すすぎ助剤組成物が、クレート洗浄後のすすぎに用いられる、上記（１）〜（６）のいずれかのすすぎ助剤組成物、
（８）さらに（Ｇ）成分として、植物性抗菌・消臭剤及び抗菌ペプチドからなる群より選ばれた１種または２種以上を含有する上記（１）〜（７）のいずれかのすすぎ助剤組成物、
（９）さらに（Ｈ）成分として、シクロデキストリンを含有する、上記（１）〜（８）のいずれかのすすぎ助剤組成物、
（１０）（Ａ）成分の（Ｇ）成分及び／又は（Ｈ）成分の総量に対する質量比（Ａ）／［（Ｇ）＋（Ｈ）］の値が０．００５〜１０である、上記（８）又は（９）のすすぎ助剤組成物、
（１１）（Ｇ）成分の植物性抗菌・消臭剤が、モウソウチク抽出物、モウソウチク乾留物、チャ抽出物、チャ乾留物、ブドウ種子抽出物、グレープフルーツ種子抽出物より選ばれた１種または２種以上である上記（８）〜（１０）のいずれかのすすぎ助剤組成物、
（１２）自動食器洗浄機用洗浄剤を含む洗浄液を自動食器洗浄機の洗浄液タンク内で加熱保持する工程、洗浄液タンク内の洗浄液を洗浄機庫内に噴射して食器類を洗浄する工程、及び、洗浄後、上記（１）〜（１１）のいずれかのすすぎ助剤組成物を含むすすぎ液ですすぐ工程を含む、自動食器洗浄機による食器類の洗浄方法、及び、
（１３）前記すすぎ液ですすぐ工程において、すすぎ液を洗浄機の平面積２５００ｃｍ２あたり、１〜３Ｌ噴射して食器類をすすぐ上記（１２）の自動食器洗浄機による食器類の洗浄方法を提供する。
【手続補正２】
【補正対象書類名】明細書
【補正対象項目名】００１１
【補正方法】変更
【補正の内容】
【００１１】
また、本発明と同様の組成を有する組成物が、野菜や果物といった食品（青果類）を洗浄するための洗浄液としても有用であることを見出した。
つまり、本発明は、
（１４）（Ａ）ＨＬＢが５以下のポリグリセリン脂肪酸エステル、（Ｂ）ＨＬＢが１４以上のポリグリセリン脂肪酸エステル、（Ｃ）水を含有し、質量比で（Ａ）成分／（Ｂ）成分の値が０．１〜１．９である、野菜又は果物洗浄用組成物、及び
（１５）さらに、（Ｄ）成分としてショ糖脂肪酸エステル、（Ｅ）成分としてソルビタン脂肪酸エステル、（Ｆ）成分として有機溶剤、（Ｇ）成分として植物性抗菌・消臭剤及び／又は抗菌ペプチド、並びに（Ｈ）成分としてシクロデキストリンからなる群から選択される、１種又は２種以上の成分を含む、上記（１４）の野菜又は果物洗浄用組成物も提供する。
【手続補正３】
【補正対象書類名】明細書
【補正対象項目名】００５６
【補正方法】変更
【補正の内容】
【００５６】
実施例１〜１４０、比較例１〜１３
表１〜１６に示す組成物を調製した。各組成物を、すすぎ助剤としてすすぎに用いた場合の乾燥性、仕上がり性、再汚染防止性、抑泡性、貯蔵安定性、抗菌性、消臭性、野菜洗浄用として用いた場合の野菜の洗浄性を試験した。表１〜８、表１０〜１５に実施例１〜１４０の結果を、表９、表１６に比較例１〜１３の結果をそれぞれ示す。
なお、実施例１７、１９、２０は参考例である。
【手続補正４】
【補正対象書類名】明細書
【補正対象項目名】００９７
【補正方法】変更
【補正の内容】
【００９７】
【表２】
2019052300.tif 000018
【手続補正５】
【補正対象書類名】特許請求の範囲
【補正対象項目名】全文
【補正方法】変更
【補正の内容】
【特許請求の範囲】
【請求項１】
（Ａ）ＨＬＢが５以下のポリグリセリン脂肪酸エステル、（Ｂ）ＨＬＢが１４以上のポリグリセリン脂肪酸エステル、（Ｃ）水を含有し、質量比で（Ａ）成分／（Ｂ）成分の値が０．１〜１．９である、すすぎ助剤組成物。
【請求項２】
（Ａ）成分がグリセリンの平均重合度が３〜１０であるポリグリセリン縮合リシノール酸エステルである、請求項１記載のすすぎ助剤組成物。
【請求項３】
（Ｂ）成分がグリセリンの平均重合度が３〜１２、脂肪酸の炭素数が８〜１８のポリグリセリン脂肪酸エステルである、請求項１又は２に記載のすすぎ助剤組成物。
【請求項４】
さらに、（Ｄ）成分としてショ糖脂肪酸エステルを含有する、請求項１〜３のいずれか一項に記載のすすぎ助剤組成物。
【請求項５】
さらに、（Ｅ）成分としてソルビタン脂肪酸エステルを含有する、請求項１〜４のいずれか一項に記載のすすぎ助剤組成物。
【請求項６】
さらに、（Ｆ）成分として有機溶剤を含有する、請求項１〜５のいずれか一項に記載のすすぎ助剤組成物。
【請求項７】
前記すすぎ助剤組成物が、クレート洗浄後のすすぎに用いられる、請求項１〜６のいずれか一項に記載のすすぎ助剤組成物。
【請求項８】
さらに（Ｇ）成分として、植物性抗菌・消臭剤及び抗菌ペプチドからなる群より選ばれた１種または２種以上を含有する、請求項１〜７のいずれか一項に記載のすすぎ助剤組成物。
【請求項９】
さらに（Ｈ）成分として、シクロデキストリンを含有する、請求項１〜８のいずれか一項に記載のすすぎ助剤組成物。
【請求項１０】
（Ａ）成分の（Ｇ）成分及び／又は（Ｈ）成分の総量に対する質量比（Ａ）／［（Ｇ）＋（Ｈ）］の値が０．００５〜１０である、請求項８又は９に記載のすすぎ助剤組成物。
【請求項１１】
（Ｇ）成分の植物性抗菌・消臭剤が、モウソウチク抽出物、モウソウチク乾留物、チャ抽出物、チャ乾留物、ブドウ種子抽出物、グレープフルーツ種子抽出物より選ばれた１種または２種以上である請求項８〜１０のいずれか一項に記載のすすぎ助剤組成物。
【請求項１２】
自動食器洗浄機用洗浄剤を含む洗浄液を自動食器洗浄機の洗浄液タンク内で加熱保持する工程、洗浄液タンク内の洗浄液を洗浄機庫内に噴射して食器類を洗浄する工程、及び、洗浄後、請求項１〜１１のいずれかに記載のすすぎ助剤組成物を含むすすぎ液ですすぐ工程を含む、自動食器洗浄機による食器類の洗浄方法。
【請求項１３】
前記すすぎ液ですすぐ工程において、すすぎ液を洗浄機の平面積２５００ｃｍ２あたり、１〜３Ｌ噴射して食器類をすすぐ請求項１２記載の自動食器洗浄機による食器類の洗浄方法。
【請求項１４】
（Ａ）ＨＬＢが５以下のポリグリセリン脂肪酸エステル、（Ｂ）ＨＬＢが１４以上のポリグリセリン脂肪酸エステル、（Ｃ）水を含有し、質量比で（Ａ）成分／（Ｂ）成分の値が０．１〜１．９である、野菜又は果物洗浄用組成物。
【請求項１５】
さらに、（Ｄ）成分としてショ糖脂肪酸エステル、（Ｅ）成分としてソルビタン脂肪酸エステル、（Ｆ）成分として有機溶剤、（Ｇ）成分として植物性抗菌・消臭剤及び／又は抗菌ペプチド、並びに（Ｈ）成分としてシクロデキストリンからなる群から選択された１種又は２種以上の成分を含む、請求項１４に記載の野菜又は果物洗浄用組成物。